(57)【特許請求の範囲】
【請求項１】
直留灯油留分、直留軽油留分、水素化脱硫灯油留分、水素化脱硫軽油留分、水素化脱硫分解軽油留分からなる群から選ばれる一又は二以上の混合によって製造される軽油原料油の蒸留範囲の終点を３２０〜３４０℃に調整した軽油に、炭素数２６〜３１のｎ−パラフィンを２．５〜１０重量％含む留分０．１〜２．０容量％及びエチレン酢酸ビニル系低温流動性向上剤１００〜６００  ｐｐｍを添加したことを特徴とする軽油組成物。
【発明の詳細な説明】
【０００１】
【産業上の利用分野】
本発明はディーゼルエンジンから排出されるパティキュレート（粒子状物質）を低減し、しかも軽油の生産得率と十分な低温流動性を確保した軽油組成物に関する。
【０００２】
【従来の技術】
数多くの対策が実施されているにもかかわらず大気中のＮＯ２  濃度が低下しないことからディーゼル新型車の排気規制は年々強化され、中古車についても対策が進んでいる新型車への交換が義務づけられている。
【０００３】
ディーゼルエンジンで生成するＮＯＸ  濃度は燃焼温度に強く依存するため、軽油では低減しにくいが、燃焼温度の制御などディーゼルエンジンでＮＯＸ  の低減対策を推進した場合、排気ガス中には粒子状物質が増加する。粒子状物質の一部は重荷重のディーゼルトラックの黒い煙（すす）で観察されるが、このほかに不完全燃焼によって生成される炭化水素化合物、燃料の硫黄分から生成する硫酸、さらに未燃の燃料や潤滑油成分から構成され、総称してパティキュレートと呼ばれている。
【０００４】
平成９年１０月までに軽油の硫黄分が０．０５重量％以下に低減されるので、パティキュレートの内、硫酸については低減される。このほか燃料のいろいろな物理化学的な分析項目もパティキュレート排出量に関係すると云われている。物理化学的な分析項目の影響については、芳香族分、セタン価、密度、蒸留性状の９０％点がディーゼルエンジンのパティキュレート排出量に影響するとの結果が発表されている。
【０００５】
しかしながら、どの項目が支配的であるかは、明らかではない。この文献例としては例えば、セタン価（堀、石油製品討論会前刷集、４２頁、石油学会、平成３年１１月）、芳香族分（Ｕｌｌｍａｎ，Ｔ．Ｌ．，ＳＡＥ  Ｐａｐｅｒ，Ｎｏ．９０２１７１）、芳香族環量と９０％点（Ｎｏｍｕｒａ，Ｈ．，ｅｔ．ａｌ．，１３ｔｈ  Ｗｏｒｌｄ  Ｐｅｔｒｏｌｅｕｍ  Ｃｏｎｇｒｅｓｓ，Ｐｒｏｃ．，  ＴＯＰＩＣ１６，ＦＯＲＵＭ  Ｆｕｅｌ−Ｇａｓ  Ｏｉｌ（１９９１））、セタン価、１０％留出温度および９０％留出温度（Ｃｏｏｋｅ，Ｊ．Ａ．，ｅｔ．ａｌ．，Ｉｎｔｅｒｎ．Ｃｏｎｆｅｒｅｎｃｅ，Ａｕｔｏｍｏ．Ｐｏｗｅｒ  Ｓｙｓｔｅｍ−Ｅｎｖｉ−  ｒｏｎ．Ｃｏｎｓｅｒｖａｔｉｏｎ，Ｐｒｏｃ．，ｐｐ．９７／１０２，（１９９０），Ｃｈｅｓｔｅｒ）、密度（Ｌａｎｇｅ，Ｗ．Ｗ．，  ＳＡＥ  Ｐａｐｅｒ，Ｎｏ．９１２４２５）などがある。
【０００６】
【発明が解決しようとする課題】
本発明者等は、パティキュレート排出量を低減するために影響する燃料因子を鋭意検討した。セタン価については、セタン価向上剤を添加すれば、向上可能であることは公知である。一方、芳香族分の測定方法については通常はジェット燃料油、自動車ガソリンに適用されているＪＩＳ  Ｋ２５８６（蛍光指示薬吸着法）を応用しているが、適用範囲を超えており、軽油についての適切な測定方法が確定していない。
【０００７】
また、水素分圧を現状よりかなり高くすれば、芳香族系炭化水素の芳香族環を水素化出来るが、この場合にはスウェーデンで認められるように、ディーゼル軽トラックやディーゼル乗用車の燃料噴射ポンプで異常摩耗が発生する。さらに、芳香族環の水素化に必要な水素化分解装置について経済的な見通しは立っていないようである。
【０００８】
幸いなことにわが国の軽油の芳香族分は前記ＪＩＳ  Ｋ２５８６（蛍光指示薬吸着法）で２０〜３４容量％程度と狭い範囲にあり、この範囲での芳香族分がパティキュレート排出量に影響する度合いが小さければ、密度、蒸留性状の９０％点を改善すれば良いと考えられる。したがって、密度と蒸留性状９０％点の改善に絞られる。
【０００９】
この方法の一つとして、軽油を軽質化することが想像される。しかし、軽油の蒸留性状の内、どの部分を軽質化すれば良いのかは明らかでない。このためには、軽油の蒸留性状の内、どの部分を除去すれば、パティキュレート低減に有効かを明らかにする必要がある。
【００１０】
また、軽質化すればするほど軽油の生産得率（  収率）が減少し、エネルギーを有効に利用出来なくなる。また、軽油の重質部分を除去すれば、低温流動性向上剤は効果を失うので、寒冷地での十分な低温流動性を確保出来なくなる。したがって、解決しようとする課題はつぎの３項目となる。
ａ．芳香族分がパティキュレート排出量への影響度合
ｂ．芳香族分（蛍光指示薬吸着法）２０〜３０容量％程度で影響が小さい場合、パティキュレート排出量低減に効果的な軽油の蒸留部分の除去範囲
ｃ．重質部分を除去した軽油の低温流動性の確保
【００１１】
【課題を解決するための手段】
上記課題を解決する本発明は、下記構成を有する。
１．直留灯油留分、直留軽油留分、水素化脱硫灯油留分、水素化脱硫軽油留分、水素化脱硫分解軽油留分からなる群から選ばれる一又は二以上の混合によって製造される軽油原料油の蒸留範囲の終点を３２０〜３４０℃に調整した軽油に、炭素数２６〜３１のｎ−パラフィンを２．５〜１０重量％含む留分０．１〜２．０容量％及びエチレン酢酸ビニル系低温流動性向上剤１００〜６００  ｐｐｍを添加したことを特徴とする軽油組成物。
以下、本発明を詳述する。
本発明者等は、芳香族分１７〜２９容量％で蒸留範囲の異なる燃料、蒸留範囲がほぼ同じで芳香族分１７〜３４容量％の燃料を使用し、パティキュレートに対する軽油の芳香族分と蒸留範囲の影響を鋭意研究した。この結果、芳香族分を２０容量％以下とするよりも、ＪＩＳ  Ｋ２２５４（石油製品蒸留試験方法）による蒸留の終点を３４０℃以下とするため留出温度が３４０℃を超える高沸点部分を除去する方がパティキュレートの低減に効果があり、しかも、蒸留の終点を３２０℃よりしだいに低くしても低減効果はほとんど変わらないことを見出した。ここで、低減効果の理由の一つとして３環芳香族炭化水素アントラセン（沸点３４２℃）を含まないので、蒸留の終点を３４０℃以下とすることが、パティキュレートの低減をさらに有効とするために必要である。
【００１２】
しかし、高沸点部分を除去して軽質化すればするほど軽油の生産得率が減少し、軽油の需要と供給のバランスに甚大な影響を与える。軽油の沸点は９０％点から終点の範囲では急激に立ち上がるために、現状の軽油から３２０℃以上の高沸点部分を除去すると生産得率は急激に低下する。たとえば、蒸留の終点を３００℃とすると、生産得率は現状の軽油から約３０％減少し，終点を２８０℃とすると、生産得率は約５０％減少する。したがって、軽油の需要を満たすにためにも、高沸点部分の除去には限界がある。
【００１３】
さらに、高沸点部分を除去しすぎると、炭素数２６〜３１のｎ−パラフィンが失われる。この結果、微量に析出した炭素数２６〜３１のｎ−パラフィンを核として、さらに多量に析出するワックスを捕捉し、微細化するエチレン酢酸ビニル系低温流動性向上剤の効果は失われる。そこで、高沸点部分を除去した軽油に炭素数２６〜３１のｎ−パラフィンを含む直留重質軽油などの留分とエチレン酢酸ビニル系低温流動性向上剤を添加することによって寒冷地での低温流動性を付与することを可能とした。この結果、パティキュレートの低減効果、軽油生産得率および適性な低温流動性確保の面から、最適な軽油組成物を発明するに至った。
【００１４】
炭素数２６〜３１のｎ−パラフィンを含む留分とエチレン酢酸ビニル系低温流動性向上剤を添加する前の軽油の原料油の混合材源としては直留灯油留分、直留軽油留分、水素化脱硫灯油留分、水素化脱硫軽油留分、水素化脱硫分解軽油留分などがある。なお、添加剤としてエチレン酢酸ビニル系低温流動性向上剤のほかにセタン価向上剤、燃料噴射ノズル清浄剤、防さび剤、摩耗防止剤などを併用することを妨げるものではない。また、炭素数２６〜３１のｎ−パラフィンを含む留分としては常圧蒸留装置から得られる直留重質軽油留分、減圧蒸留装置から得られる直留重質軽油留分およびこれらの一つと直留軽質軽油留分の混合油の水素化脱硫油などがある。
【００１５】
【実施例】
以下実施例によって本発明をさらに詳細に説明するが、本発明はこれらの実施例に限定されるものではない。
（実施例１）
蒸留範囲１６６〜３２１℃に調整した芳香族分２３容量％の軽油の原料油に、直留重質軽油留分Ｘ０．６容量％およびエチレン酢酸ビニル系低温流動性向上剤４００ｐｐｍ  を添加した軽油Ａを使用し、排気量３．６リッター、直接噴射式無過給ディーゼルエンジンの６０％回転数、４０％負荷でのパティキュレート排出量およびろ過器目詰まり点を測定した。その結果、パティキュレート排出量は１．０ｍｇ／  燃料１ｇ、一方、ろ過器目詰まり点は−１７℃で、添加剤を加えることにより５℃降下した。
【００１６】
ここで、上記直留重質軽油留分Ｘの炭素数２６〜３１のｎ−パラフィン含有量は７．８重量％で、曇り点、流動点はそれぞれ＋２０℃および＋７．５℃であった。また、６０％回転数、４０％負荷とは、エンジンの最大出力が得られた回転数を１００％回転数とし、最大出力を１００％負荷として計算した回転数と負荷を云う。なお、蒸留範囲はＪＩＳ  Ｋ２２５４（石油製品蒸留試験方法）に拠った。以下についても同様である。
【００１７】
（実施例２）
蒸留範囲１７１〜３３８℃に調整した芳香族分２５容量％の軽油の原料油に、直留重質軽油留分Ｙ１．９容量％およびエチレン酢酸ビニル系低温流動性向上剤１２５ｐｐｍ  を添加した軽油Ｂを使用し、ワゴンタイプ小型ディーゼル乗用車（車両総重量２．１トン、渦流室式）で、運輸省規定１０．１５モードでのパティキュレート排出量およびろ過器目詰まり点を測定した。その結果、パティキュレート排出量は０．１０ｍｇ／ｋｍ  、一方、ろ過器目詰まり点は−１６℃で、添加剤を加えることにより６℃降下した。ここで、直留重質軽油留分Ｙに含まれる炭素数２６〜３１のｎ−パラフィンは含有量は２．５重量％で、曇り点、流動点はそれぞれ＋１２℃および＋５．０℃であった。
【００１８】
（実施例３）
２号軽油を蒸留し、蒸留範囲１６５〜３２２℃に調整した芳香族分２２容量％の軽油の原料油に直留重質軽油留分Ｙ１．０容量％およびエチレン酢酸ビニル系低温流動性向上剤５５０  ｐｐｍを添加した軽油Ｃを使用し、排気量３．６  リッター、直接噴射式無過給ディーゼルエンジンの６０％回転数、８０％負荷で、パティキュレート排出量およびろ過器目詰まり点を測定した。その結果、パティキュレート排出量は１．１  ｍｇ／  燃料  １ｇ  、一方、ろ過器目詰まり点は−２０℃で、添加剤を加えることにより８℃降下した。２号軽油の代表性状は密度０．８３５ｇ／ｃｍ３  （１５℃）、引火点７２℃、動粘度３．７４ｍｍ２  ／ｓ、硫黄分０．１６質量％、初留点１６５℃、１０％点２１７℃、５０％点２８２℃、９０％点３３７℃、終点３６５℃であった。
【００１９】
（比較例１）
蒸留範囲１７０〜３６３℃に調整した、芳香族分２９容量％の軽油Ｄを使用し、排気量３．６リッター、直接噴射式無過給ディーゼルエンジンの６０％回転数、４０％負荷では、パティキュレート排出量は４．４ｍｇ／  燃料１ｇであった。実施例１の軽油Ａの排出量１．０ｍｇ／  燃料１ｇに比べて約４倍に増加した。
【００２０】
（比較例２）
蒸留範囲１６８〜３５８℃に調整した、芳香族分２８容量％の軽油Ｅを使用し、実施例２と同様にワゴンタイプ小型ディーゼル乗用車（車両総重量２．１トン、渦流室式）で運輸省規定１０．１５モードでのパティキュレート排出量を測定した。排出量は０．１３  ｍｇ／ｋｍであった。実施例２の軽油Ｂの排出量０．１０  ｍｇ／Ｋｍに比べて３０％増加した。
【００２１】
（比較例３）
直留重質軽油留分を添加していない２号軽油を蒸留し、蒸留範囲１７０〜３４５℃に調整した、芳香族分２５容量％の軽油Ｆを使用し、実施例３と同様に排気量３．６リッター、直接噴射式無過給ディーゼルエンジンの６０％回転数、８０％負荷で、パティキュレート排出量を測定した。排出量は２．１  ｍｇ／燃料１ｇで、実施例３の軽油Ｃによる排出量１．１  ｍｇ／燃料１ｇに比べて約２倍に増加した。
【００２２】
（比較例４）
直留重質軽油留分を添加していない２号軽油を蒸留し、蒸留範囲１６５〜２７３℃、芳香族分２０容量％の軽油Ｇに、エチレン酢酸ビニル系低温流動性向上剤を８００ｐｐｍ  添加してもろ過器目詰まり点は−１７℃で添加剤の効果は認められなかった。したがって、軽油Ｇでは低温流動性向上剤の効果がない。しかも、蒸留範囲１７１〜２７３℃の軽油Ｇを生産すると、実施例３の軽油Ｃと比較して生産得率は約３８％減少する。したがって、わが国の軽油の供給に甚大な影響を与える。
【００２３】
（比較例５）
直留重質軽油留分を添加していない２号軽油を蒸留し、蒸留範囲１６５〜２９５℃、芳香族分２２容量％の軽油Ｈに、エチレン酢酸ビニル系低温流動性向上剤を７００ｐｐｍ  添加してもろ過器目詰まり点は−１４℃から−１５℃へと１℃しか低下しなかった。したがって、低温流動性の面から軽油として不適性である。しかも、軽油Ｈの生産得率は実施例１の軽油Ａと比較して約１７％減少する。
【００２４】
【発明の効果】
エンジンが異なっても、また、試験条件が変えてパティキュレート排出量を測定しても、実施例１の軽油Ａと比較例１の軽油Ｄ、実施例２の軽油Ｂと比較例２の軽油Ｅおよび実施例３の軽油Ｃと比較例３の軽油Ｆそれぞれの組み合わせの排出量を比較すると、蒸留によって軽油の原料油の高沸点部分を除去し、原料油の終点を３４０℃以下とした軽油Ａ、ＢおよびＣでは、軽油Ｄ、ＥおよびＦに比べてパティキュレートが低減することが分かる。したがって、本発明のように蒸留によって軽油の原料油の高沸点部分を除去し、原料油の終点を３４０℃以下とすることが、ディーゼルのパティキュレート排出量を低減するために非常に効果があることは明らかである。
【００２５】
また、炭素数２６〜３１のｎ−パラフィンを含まない比較例４の軽油Ｇおよび比較例５の軽油Ｆでは、低温流動性向上剤を７００ｐｐｍ  以上添加してもろ過器目詰まり点は添加剤によってほとんど降下しないが、炭素数２６〜３１のｎ−パラフィンを含むように特定の留分を添加した実施例１の軽油Ａ、実施例２の軽油Ｂおよび実施例３の軽油Ｃではエチレン酢酸ビニル系低温流動性向上剤を１００〜６００ｐｐｍ  添加することによって、ろ過器目詰まり点を降下させることが可能となった。
【００２６】
さらに、実施例１の蒸留の終点３２１℃軽油Ａと比較して、比較例４の軽油Ｇでは生産得率は約３８％減少し、比較例５の軽油Ｈでは生産得率は約１７％減少する。逆にいえば、高沸点部分を除去する場合でも、本発明のように原料油の終点を３２０℃以上とすれば、軽油の生産得率の減少をそれだけ少なくすることが出来ることを意味している。
【００２７】
以上のとおり、本発明の軽油組成物は、ディーゼルエンジンからのパティキュレート排出量を低減し、低温流動性が良好で、しかも軽油生産得率の減少を一定限度内に抑えることができるという、優れた効果を奏するのである。